(57)【特許請求の範囲】
【請求項１】
吸引気流を発生させ、発生した気流によりゴミを集塵する電気掃除機において、
掃除機本体と、該掃除機本体に接続可能なホース部と、該ホース部に接続可能で内部に風路を形成したグリップ部と、該グリップ部に接続可能で風路を形成した延長管部と、該延長管部を床面に対して回動可能に接続可能な床用吸口体部とを備え、
前記床用吸口体部は、前記床用吸口体部に回転可能に支持されるペダルと、前記ペダルに回動可能に連結されるリンク部材と、前記リンク部材に係合され、上下方向に移動可能な部材と、前記ペダルへの力がなくなったときに前記ペダルを元に戻すバネとを有し、
前記ペダルは、前記延長管部が床面に対して任意の角度に回動させた状態で押下されると、前記ペダルが回転し、前記リンク部材が上方へ移動し、前記上下方向に移動可能な部材も上方へ移動し、前記延長管部と前記床用吸口体部とを接続していたロックが解除され、前記延長管部と前記床用吸口体部とが分離可能となり、
前記ペダルへの力がなくなると、前記ペダルの位置が戻り、前記上下方向に移動可能な部材の位置も戻り、
前記床用吸口体部に前記延長管が差し込まれると、その差し込み力により、前記延長管が前記床用吸口体部にロックされることを特徴とする電気掃除機。
【請求項２】
吸引気流を発生させ、発生した気流によりゴミを集塵する電気掃除機において、
掃除機本体と、該掃除機本体に接続可能なホース部と、該ホース部に接続可能で内部に風路を形成したグリップ部と、該グリップ部に接続可能で風路を形成した延長管部と、該延長管部を床面に対して回動可能に接続可能な床用吸口体部とを備え、
前記延長管は、他の吸口が接続された状態で、前記床用吸口体部に接続可能であって、  前記床用吸口体部は、前記床用吸口体部に回転可能に支持されるペダルと、前記ペダルに回動可能に連結されるリンク部材と、前記リンク部材に係合され、上下方向に移動可能な部材と、前記ペダルへの力がなくなったときに前記ペダルを元に戻すバネとを有し、
前記ペダルは、前記延長管部が床面に対して任意の角度に回動させた状態で押下されると、前記ペダルが回転し、前記リンク部材が上方へ移動し、前記上下方向に移動可能な部材も上方へ移動し、前記延長管部と前記床用吸口体部とを接続していたロックが解除され、前記延長管部と前記床用吸口体部とが分離可能となり、
前記ペダルへの力がなくなると、前記ペダルの位置が戻り、前記上下方向に移動可能な部材の位置も戻り、
前記床用吸口体部に前記延長管が差し込まれると、その差し込み力により、前記延長管が前記床用吸口体部にロックされることを特徴とする電気掃除機。
【請求項３】
吸引気流を発生させ、発生した気流によりゴミを集塵する電気掃除機において、
掃除機本体と、該掃除機本体に接続可能なホース部と、該ホース部に接続可能で内部に風路を形成したグリップ部と、床用吸口体部と、前記グリップ部と前記床用吸口体部との間に接続可能で風路を形成した部材とを備え、
前記風路を形成した部材は、前記グリップ部が床面に対して回動可能となるように前記床用吸口体部と前記グリップ部とを接続し、
前記床用吸口体部は、前記床用吸口体部に回転可能に支持されるペダルと、前記ペダルに回動可能に連結されるリンク部材と、前記リンク部材に係合され、上下方向に移動可能な部材と、前記ペダルへの力がなくなったときに前記ペダルを元に戻すバネとを有し、
前記ペダルは、前記延長管部が床面に対して任意の角度に回動させた状態で押下されると、前記ペダルが回転し、前記リンク部材が上方へ移動し、前記上下方向に移動可能な部材も上方へ移動し、前記上下方向に移動可能な部材が前記風路を形成した部材を押し上げ、前記風路を形成した部材と前記床用吸口体部とを接続していたロックが解除され、前記風路を形成した部材と前記床用吸口体部とが分離可能となり、
前記ペダルへの力がなくなると、前記ペダルの位置が戻り、前記上下方向に移動可能な部材の位置も戻り、
前記床用吸口体部に前記風路を形成した部材が差し込まれると、その差し込み力により、前記風路を形成した部材が前記床用吸口体部にロックされることを特徴とする電気掃除機。
【発明の詳細な説明】
【技術分野】
【０００１】
本発明は、電気掃除機に係り、特に、延長管部と床用吸口体部との着脱を容易に行うことができるようにした電気掃除機に関する。
【背景技術】
【０００２】
従来技術による電気掃除機は、ゴミを収集して格納する本体側のダストケースを有する掃除機本体と、掃除機本体に接続可能なホース部と、該ホース部に接続可能で内部に風路を形成したグリップ部と、該グリップ部に接続可能で風路を形成した延長管部と、該延長管部に接続可能な床用吸口体部とを備えて構成されるのが一般的である。そして、電気掃除機に関しては、このような基本構成を備えることを前提として種々の提案がなされている。例えば、この種の電気掃除機に関する従来技術として、例えば、特許文献１、２、３等に記載された技術がしられている。
【先行技術文献】
【特許文献】
【０００３】
【特許文献１】特開２００１−３１４３５４号公報
【特許文献２】特開平１１−１８７９９３号公報
【特許文献３】特開平１１−１５５７８６号公報
【発明の概要】
【発明が解決しようとする課題】
【０００４】
前述した従来技術による電気掃除機は、床面の掃除の際には、前述した構成のまま不自由することなく使用することが可能なものである。そして、隙間等の狭い空間の掃除を行う場合、接続されている延長管部と床用吸口体部とを切り離して、延長管部の先端に隙間用吸口、ハケブラシ等のアタッチメントを接続して使用するのが一般的である。この延長管部と床用吸口体部とを切り離す作業あるいはその後の接続の作業は、利用者が延長管部と床用吸口体部とを手に持ったり、しゃがんだりして行わなければならないものである。すなわち、前述した従来技術による電気掃除機は、必ずしも最良と言える構造とは言い難かった。
【０００５】
本発明の目的は、前述した従来技術の問題点を解決し、延長管部と床用吸口体部との着脱を容易に行うことができるようにした電気掃除機を提供することにある。
【課題を解決するための手段】
【０００６】
本発明によれば前記目的は、吸引気流を発生させ、発生した気流によりゴミを集塵する電気掃除機において、掃除機本体と、該掃除機本体に接続可能なホース部と、該ホース部に接続可能で内部に風路を形成したグリップ部と、該グリップ部に接続可能で風路を形成した延長管部と、該延長管部を床面に対して回動可能に接続可能な床用吸口体部とを備え、前記床用吸口体部は、前記床用吸口体部に回転可能に支持されるペダルと、前記ペダルに回動可能に連結されるリンク部材と、前記リンク部材に係合され、上下方向に移動可能な部材と、前記ペダルへの力がなくなったときに前記ペダルを元に戻すバネとを有し、前記ペダルは、前記延長管部が床面に対して任意の角度に回動させた状態で押下されると、前記ペダルが回転し、前記リンク部材が上方へ移動し、前記上下方向に移動可能な部材も上方へ移動し、前記延長管部と前記床用吸口体部とを接続していたロックが解除され、前記延長管部と前記床用吸口体部とが分離可能となり、前記ペダルへの力がなくなると、前記ペダルの位置が戻り、前記上下方向に移動可能な部材の位置も戻り、前記床用吸口体部に前記延長管が差し込まれると、その差し込み力により、前記延長管が前記床用吸口体部にロックされることにより達成される。
【０００７】
また、前記目的は、吸引気流を発生させ、発生した気流によりゴミを集塵する電気掃除機において、掃除機本体と、該掃除機本体に接続可能なホース部と、該ホース部に接続可能で内部に風路を形成したグリップ部と、床用吸口体部と、前記グリップ部と前記床用吸口体部との間に接続可能で風路を形成した部材とを備え、前記風路を形成した部材は、前記グリップ部が床面に対して回動可能となるように前記床用吸口体部と前記グリップ部とを接続し、前記床用吸口体部は、前記床用吸口体部に回転可能に支持されるペダルと、前記ペダルに回動可能に連結されるリンク部材と、前記リンク部材に係合され、上下方向に移動可能な部材と、前記ペダルへの力がなくなったときに前記ペダルを元に戻すバネとを有し、前記ペダルは、前記延長管部が床面に対して任意の角度に回動させた状態で押下されると、前記ペダルが回転し、前記リンク部材が上方へ移動し、前記上下方向に移動可能な部材も上方へ移動し、前記上下方向に移動可能な部材が前記風路を形成した部材を押し上げ、前記風路を形成した部材と前記床用吸口体部とを接続していたロックが解除され、前記風路を形成した部材と前記床用吸口体部とが分離可能となり、前記ペダルへの力がなくなると、前記ペダルの位置が戻り、前記上下方向に移動可能な部材の位置も戻り、前記床用吸口体部に前記風路を形成した部材が差し込まれると、その差し込み力により、前記風路を形成した部材が前記床用吸口体部にロックされることにより達成される。
【発明の効果】
【０００８】
本発明によれば、延長管部を略垂直に立てたとき、前記延長管部と床用吸口体部に設けられた前記吸口継ぎ手部とを接続していたロックが解除されるので、あるいは、床用吸口体部に設けた延長管部と床用吸口体部に設けられた吸口継ぎ手部とを接続していたロックを解除するペダルを足先等で操作することにより、前記延長管部と床用吸口体部に設けられた前記吸口継ぎ手部とを接続していたロックが解除されるので、延長管部を上方に引くだけで容易に延長管部を床用吸口体部から切り離すことができる。
【図面の簡単な説明】
【０００９】
【図１】本発明の一実施形態による電気掃除機の床用吸口体部、床用吸口体部に設けられた吸口継ぎ手部に接続された延長管部の部位の構成を説明する外観図である。
【図２】図１により説明した床用吸口体部、床用吸口体部に設けられた吸口継ぎ手部に接続された延長管部の部位の内部構成を説明する分解斜視図である。
【図３】本発明の一実施形態による電気掃除機の通常の使用状態の外観を示す図である。
【図４】本発明の一実施形態による電気掃除機の延長管部を取り外すために、延長管部をほぼ垂直に立てた状態を示す図である。
【図５】図４に示す状態から延長管部を取り外した状態を示す図である。
【図６】延長管部を取り外して他のアタッチメントを延長管部に取り付けた状態を示す図である。
【図７】足踏みペダルを用いて延長管部を床用吸口体部１０１から取り外す機構を説明するための延長管部を略水平状態とした場合を示す断面図である。
【図８】足踏みペダルを用いて延長管部を床用吸口体部から取り外す機構を説明するための延長管部をほぼ垂直状態とした場合を示す断面図である。
【図９】図８に示す状態で足踏みペダルを押し下げた場合を示す断面図である。
【図１０】図９に示す状態から延長管部を引き抜いて取り外した状態を示す断面図である。
【図１１】延長管部が傾斜している状態を示す概略断面図である。
【図１２】図１１に示す状態で足踏みペダルを押し下げた状態を示す図である。
【図１３】延長管部をほぼ垂直に立てるだけで延長管部を吸口継ぎ手部から取り外すことを可能とした例での延長管部が略水平にされた状態を示す概略断面図である。
【図１４】図１３に示す状態から延長管部を立てた状態を示す図である。
【図１５】延長管部をほぼ垂直に立てるだけで延長管部を吸口継ぎ手部から取り外すことを可能とした他の例での延長管部が略水平にされた状態を示す概略断面図である。
【図１６】図１５に示す状態から延長管部を立てた状態を示す図である。
【図１７】延長管部を床用吸口体部から取り外した状態で、床用吸口体部に設けられた吸口継ぎ手部をほぼ垂直の状態で保持する機構を説明する図である。
【図１８】延長管部を床用吸口体部から取り外した状態で、床用吸口体部に設けられた吸口継ぎ手部をほぼ垂直の状態で保持する他の機構を説明する図である。
【図１９】図１８におけるロック機構について説明する図である。
【図２０】延長管部の先端部にハケブラシを取り付けた状態を示す断面図である。
【図２１】延長管部を床用吸口体部の吸口継ぎ手部に接続する場合のガイド機構について説明する図である。
【図２２】左右方向の回動位置が床用吸口体部の側にある場合の床用吸口体部と吸口継ぎ手部との部位の構成を説明する外観図である。
【図２３】図２２における床用吸口体部から延長管部軸線方向の断面図である。
【発明を実施するための形態】
【００１０】
以下、本発明による電気掃除機の実施形態を図面により詳細に説明する。
【００１１】
図１は本発明の一実施形態による電気掃除機の床用吸口体部、床用吸口体部に設けられた吸口継ぎ手部に接続された延長管部の部位の構成を説明する外観図である。図１において、１０１は床用吸口体部、１０２は下ケース、１０３は上ケース、１０４はバンパー、１０５はタイヤ、１０６はリンク、１０７はピンＤ、１０８はケーシングカバー、１０９はローラ、１１０はケーシング、１１１は足踏みペダル、１１２は吸口継ぎ手部、１１３は継ぎ手カバー、１１４は延長管部、１１５は延長管カバー、１１６はクランプ、１１７はクランプの突起部である。
【００１２】
本発明の一実施形態による電気掃除機の床用吸口体部１０１は、下ケース１０２、上ケース１０３、バンパー１０４を有し、その下面に床面の移動をスムーズにするためのタイヤ１０５、ローラ１０９が設けられて構成されている。そして、床用吸口体部１０１の長手方向の中央部には、リンク１０６、ピンＤ１０７を介して吸口継ぎ手部１１２が前後方向、すなわち、床用吸口体部１０１の長手方向に直角な方向に回道可能に取り付けられていると共に、後述で説明するように、吸口継ぎ手部１１２と延長管部１１４との接続を解除するための足踏みペダル１１１が設けられている。
【００１３】
床用吸口体部１０１と吸口継ぎ手部１１２との取り付け部分には、ケーシング１１０が設けられると共に、これをカバーするケーシングカバー１０８が設けられている。また、吸口継ぎ手部１１２の延長管部１１４との結合位置には、図２により後述する延長管部１１４とを接続を保持するクランプ機構が設けられており、この部分を覆う継ぎ手カバー１１３が設けられている。さらに、延長管部１１４の吸口継ぎ手部１１２との結合位置には、図２により後述する延長管部１１４とを接続を保持するクランプ機構の一部が吸口継ぎ手部１１２から延びて設けられており、この部分を覆う延長管カバー１１５が設けられており、延長管カバー１１５の穴からクランプ１１６の突起部１１７が露出している。
【００１４】
前述したように構成される床用吸口体部１０１、床用吸口体部１０１に設けられた吸口継ぎ手部１１２に接続された延長管部１１４において、延長管部１１４を床用吸口体部１０１から取り外したい場合、すなわち、利用者が延長管部１１４の先端に他のアタッチメント等を接続して使用したい場合、利用者は、床用吸口体部１０１の底面を床面に置いた状態で延長管部１１４を前後方向に回転させて、延長管部１１４をほぼ床面に垂直な状態にする。
【００１５】
本発明の実施形態は、後述するように、この状態で、自動的に吸口継ぎ手部１１２と延長管部１１４とを結合しているクランプ機構を解除する機構を吸口継ぎ手部１１２の床用吸口体部１０１との結合部に備えている。この結果、利用者は、延長管部１１４をほぼ床面に垂直な状態とした後に、延長管部１１４を上方に持ち上げることにより、容易に延長管部１１４を床用吸口体部１０１から取り外すことができる。
【００１６】
一方、本発明の他の実施形態は、前述したような自動的にクランプ機構を解除する機構を設けずに、その代わりに、足踏みペダル１１１を床用吸口体部１０１に設けておき、この足踏みペダル１１１を利用者が足先等で踏み下した場合に前述のクランプ機構を解除するように構成することもできる。このようにした場合、利用者は、延長管部１１４をほぼ床面に垂直な状態とした後に、足踏みペダル１１１を踏んだ状態で、延長管部１１４を上方に持ち上げることにより、容易に延長管部１１４を床用吸口体部１０１から取り外すことができる。しかし、利用者が、延長管部１１４を取り外す意志がない場合、例えば、収納の際等に、延長管部１１４をほぼ床面に垂直な状態として、延長管部１１４を上方に持ち上げるだけでは延長管部１１４を床用吸口体部１０１から取り外すことができないことになり、利用者の不用意な操作で延長管部１１４が床用吸口体部１０１から取り外されることを防止することができる。
【００１７】
図２は図１により説明した床用吸口体部、床用吸口体部に設けられた吸口継ぎ手部に接続された延長管部の部位の内部構成を説明する分解斜視図である。図２において、２０１はタイヤシャフト、２０２はリンクシャフト、２０３は足踏みペダルシャフト、２０４は足踏みペダルバネ、２０５は流路カバー、２０６は回動カバー、２０７はピンＤシャフト、２０８はピンＦ、２０９はピンＦバネ、２１０はクランプバネであり、他の符号は図１の場合と同一である。
【００１８】
床用吸口体部、床用吸口体部に設けられた吸口継ぎ手部に接続された延長管部の部位の全体は、図２に示しているような多数の部材により構成されているが、本発明の実施形態で特徴的な点は、リンク１０６が延長管部１１４の前後方向の回動に従ってピンＤ１０７が上下に移動するように構成されている点、及び、足踏みペダル１１１がリンクシャフト２０２、足踏みペダルシャフト２０３及び足踏みペダルバネ２０４により、リンク１０６に系合されて、足踏みペダル１１１が踏み降ろされたときに、リンク１０６を介してピンＤ１０７を押し上げるようにされている点である。そして、足踏みペダル１１１は、足踏みペダルバネ２０４により踏力がなくなったときに元に戻るようにされている。リンク１０６は、ピンＤシャフト２０７によりピンＤ１０７を系合しており、また、スプリングバネ８０５を備えて回動カバー２０６と共に回動可能とされている。また、吸口継ぎ手部１１２は、ケーシング１１０に系合され、吸口継ぎ手部１１２及び延長管部１１４は、床用吸口体１０１に対して左右方向に回動可能とされている。
【００１９】
前述において、延長管部１１４をほぼ垂直にした状態で、利用者により足踏みペダル１１１が踏み降ろされると、リンク１０６は、吸口継ぎ手部１１２の軸方向に沿って押し上げられ、吸口継ぎ手部１１２に設けられているピンＦ２０８の先端部をピンＦバネ２０９に抗して押し上げるる。このピンＦ２０８の他端は、延長管１１４に設けられるクランプ１１６を構成する部材の端部に接して、クランプ１１６をクランプバネ２１０に抗して延長管部１１４の管中心方向に移動させる。この結果、後述するクランプ１１６の他端部７０４と延長管部１１４の壁面に設けたくぼみ部７０５との系合が外れ、延長管部１１４を床用吸口体部１０１から取り外すことが可能となる。
【００２０】
また、延長管部１１４が垂直から離れた位置にある場合、リンク１０６が延長管部１１４の回動に伴って回動し、ピンＤ１０７の先端は、ピンＦ２０８の端部から離れた位置となり、足踏みペダル１１１が押し下げられた場合にも、ピンＤ１０７の先端がピンＦ２０８の端部を押すことがなく、後述するクランプ１１６の他端部７０４と延長管部１１４の壁面に設けたくぼみ部７０５が系合したままとなり、延長管部１１４を取り外すことができない。
【００２１】
前述では、足踏みペダル１１１を用いて延長管部１１４を取り外すことを可能にする構成について説明したが、ここに示す本発明の実施形態は、ピンＤ１０７の先端部までの長さを適宜大きく設定することにより、延長管部１１４をほぼ垂直にすると、前後方向の延長管部１１４の回動に伴って上下に移動するリンク１０６に系合しているピンＤ１０７の先端がピンＦ２０８の端部を押すようにすることができる。この場合、足踏みペダル１１１及びリンク１０６にリンクさせる機構を備える必要はないことになる。
【００２２】
なお、前述において、継ぎ手カバー１１３の内部側に設けられたピンＦ２０８、ピンＦバネ２０９及びクランプピン１１７を有するクランプ１１６、クランプバネ２１０は、延長管部１１４と吸口継ぎ手部１１２とを接続してロックするクランプ機構を構成している。
【００２３】
図３は本発明の一実施形態による電気掃除機の通常の使用状態の外観を示す図である。図３において、３０１は掃除機本体、３０２はホース部、３０３はグリップ部、３０４は手元スイッチであり、他の符号は図１の場合と同一である。
【００２４】
図３に示すように、本発明の一実施形態による電気掃除機全体は、内部に吸引気流を発生させて、発生した気流によりゴミを収集するモータ、ダストケースを有し、床面上の移動を容易にするための車輪を有する掃除機本体３０１と、掃除機本体３０１に接続可能なホース部３０２と、該ホース部３０２に接続可能で内部に風路を形成したグリップ部３０３と、該グリップ部に接続可能で風路を形成した延長管部１１４と、該延長管部に接続可能な吸口継ぎ手部１１２と、該吸口継ぎ手部１１２に接続された床用吸口体部１０１とを備えて構成される。グリップ部３０３には、手元操作用の各種のスイッチを有する手元スイッチ３０４が設けられており、掃除を行う場合、利用者は、グリップ部３０３を持ち、手元スイッチ３０４により、掃除機の起動、停止、吸い込み力の調整を行いながら、床用吸口体部１０１を移動させて掃除を行う。
【００２５】
図４は本発明の一実施形態による電気掃除機の延長管部１１４を取り外すために、延長管部１１４をほぼ垂直に立てた状態を示す図、図５は延長管部１１４を取り外した状態を示す図である。
【００２６】
利用者は、延長管部１１４を床用吸口体部１０１の吸口継ぎ手部１１２から取り外して、隙間用吸口、ハケブラシ等の他のアタッチメントを延長管部１１４に取り付けて使用したい場合、図４に示すように、延長管部１１４をほぼ垂直に立てて、足先等で足踏みペダル１１１を押し下げる操作を行い、延長管部１１４を上方に持ち上げることにより、図５に示すように、延長管部１１４を床用吸口体部１０１から取り外すことができる。後述するが、延長管部１１４を床用吸口体部１０１から取り外したとき、床用吸口体部１０１に取り付けられている吸口継ぎ手部１１２は、床面に置かれた床用吸口体部１０１から上方にほぼ垂直な角度を保持して自立できるように床用吸口体部１０１に取り付けられている。
【００２７】
図６は延長管部１１４を取り外して他のアタッチメントを延長管部１１４に取り付けた状態を示す図である。図６において、６０１は隙間用吸口、６０２はハケブラシである。
【００２８】
図６に示すように、延長管部１１４の先端部にアタッチメントとして隙間用吸口６０１を差し込めば、この隙間用吸口６０１を使用して狭い場所のゴミを掃除することができる。また、ハケブラシ６０２を延長管部１１４の先端部に取り付ければ、細かいゴミ等を寄せ集めながら掃除を行うことができる。このハケブラシ６０２は、アタッチメントとして利用者が延長管部１１４を取り外した後に取り付けるようにすることができるが、ハケブラシ６０２のブラシ部を延長管部１１４の周辺部に配置して取り付けておくことができる。このようにすると、延長管部１１４を床用吸口体部１０１の吸口継ぎ手部１１２に接続した状態では、ブラシ部が吸口継ぎ手部１１２の周囲を覆うようになるが、そのまま、床用吸口体部１０１を使用した掃除を行うことができ、延長管部１１４を取り外せば直ちに、ハケブラシ６０２を使用した掃除を行うことができる。さらに、隙間用吸口６０１を延長管部１１４の先端部に差し込んだ状態で、延長管部１１４を床用吸口体部１０１の吸口継ぎ手部１１２に接続して床用吸口体部１０１を使用することもできる。なお、ハケブラシ６０２を延長管部１１４の内側に配置することも可能である。
【００２９】
図７は足踏みペダル１１１を用いて延長管部１１４を床用吸口体部１０１から取り外す機構を説明するための延長管部１１４を略水平状態とした場合を示す断面図、図８は足踏みペダル１１１を用いて延長管部１１４を床用吸口体部１０１から取り外す機構を説明するための延長管部１１４をほぼ垂直状態とした場合を示す断面図、図９は図８に示す状態で足踏みペダル１１１を押し下げた場合を示す断面図、図１０は図９に示す状態から延長管部１１４を引き抜いて取り外した状態を示す断面図である。図７において、７０１はペダル回転中心、７０２は吸口継ぎ手部回転中心、７０３はクランプ回転中心であり、他の符号は図１、図２の場合と同一である。次に、これらの図面を参照して、足踏みペダル１１１を用いて延長管部１１４を床用吸口体部１０１から取り外す機構について説明する。なお、図面には、図７にのみ符号を示し、図８〜図１０への符号の付与を省略した。また、図７には、説明を判り易くするために、通常の断面図にペダルを描き加えて示している。
【００３０】
前述で説明したピンＤ１０７は、ケーシング１１０とケーシングカバー１０８との間に位置し、リンク１０６と系合して、リンク１０６の他端が足踏みペダル１１１とリンクシャフト２０２を介して連結されている。延長管部１１４を略水平な状態とした場合、吸口継ぎ手部１１２も略水平状態であり、図７に示すように、ピンＤ１０７とリンク１０６とはほぼ直角に系合しており、ピンＤ１０７は、その先端部も含めてケーシング１１０とケーシングカバー１０８との間に位置されている。そして、クランプ１１６の他端部７０４は、延長管１１４の壁面に設けたくぼみ部７０５に系合して、延長管１１４を吸口継ぎ手部１１２から取り外すことができないようにロックしている。この状態から延長管部１１４を垂直になるように回動させると、これに伴って、吸口継ぎ手部１１２は、吸口継ぎ手部回転中心７０２を支点として回動する事になり、図８に示すような状態となる。
【００３１】
図８に示す状態では、吸口継ぎ手部１１２の回動に伴って、ピンＤ１０７とリンク１０６とがほぼ直線状に系合した状態になり、ピンＤ１０７は、その先端部がケーシング１１０とケーシングカバー１０８との間から外部に出てピンＦ２０８の端部に対向する状態となる。この状態では、ピンＤ１０７がピンＦ２０８の端部を押す状態にはならず、このため、吸口継ぎ手部１１２と延長管部１１４とを接続してロックしているクランプ機構が解除されることはなく、延長管部１１４を引き抜いて取り外すことはできない。この状態で、利用者が足踏みペダル１１１を押し下げると、足踏みペダル１１１は、足踏みペダルシャフト２０３をペダル回転中心７０１として回転し、この結果、図９に示すような状態になる。
【００３２】
図９に示す状態では、足踏みペダル１１１が、足踏みペダルシャフト２０３をペダル回転中心７０１として回転することにより、リンク１０６を系合しているリンクシャフト２０２が上方に移動させられ、この結果、ピンＤ１０７も上方に移動してピンＦ２０８の端部を押し上げることになる。これにより、すでに説明したように、ピンＦ２０８がクランプ１１６の端部を押すことになる。クランプ１１６の前側の端部は、図７〜図９に示しているように、傾斜を備えて構成されているので、クランプ１１６は、クランプ回転中心７０３を支点として延長管部１１４の中心の方向に回動移動させられることになり、クランクの突起部１１７が延長管カバー１１５から外れると共に、クランプ１１６の他端部７０４と延長管１１４の壁面に設けたくぼみ部７０５との系合が外れて、延長管部１１４を取り外すことが可能となる。
【００３３】
図９に示した状態で、延長管部１１４を上方に引き抜けば、図１０に示すように、延長管部１１４を容易に取り外すことができる。この場合、クランプ１１６は、クランプバネの力により自動的に元の状態に戻る。そして、ユーザが足踏みペダル１１１から足先等を離せば、足踏みペダル１１１も元の位置に戻り、これに伴って、ピンＤ１０７も図８に示す位置に戻ることになる。この状態で、再度、延長管部１１４を吸口継ぎ手部１１２に差し込めば、その差し込み力により、クランプ１１６の他端部７０４と延長管部１１４の壁面に設けたくぼみ部７０５とが系合して、延長管部１１４と吸口継ぎ手部１１２とが説明されてロックされる。
【００３４】
前述した本発明の実施形態は、延長管部１１４をほぼ垂直に立てた状態で、足踏みペダル１１１を押し下げることにより、延長管部１１４を吸口継ぎ手部１１２から取り外すことが可能となるとして説明したが、本発明は、延長管部１１４を立てる角度に関わりなく、足踏みペダル１１１を押し下げることにより、延長管部１１４を吸口継ぎ手部１１２から取り外すことができるようにすることができる。以下、この場合の例について説明する。
【００３５】
図１１は延長管部１１４が傾斜している状態を示す概略断面図、図１２は図１１に示す状態で足踏みペダル１１１を押し下げた状態を示す図である。図１１、図１２は説明に必要な概略を示しているが、詳細は図７〜図１０に示したものと同一である。
【００３６】
延長管部１１４を立てる角度に関わりなく、足踏みペダル１１１を押し下げることにより、延長管部１１４を吸口継ぎ手部１１２から取り外すことができるようにするためには、図７〜図１０に説明した例におけるピンＤ１０７の長さを調整して、ピンＤ１０７の先端部とピンＦ２０８のピンＤ１０７の先端部に対向する端部とが、常に、僅かに離れて対向するような長さに設定すればよい。この結果、図１１に示すように、延長管部１１４を立てる角度を変更した場合にも、ピンＤ１０７の先端部とピンＦ２０８のピンＤ１０７の先端部に対向する端部とが、常に、僅かに離れて対向するすることになる。この間隔は、延長管部１１４を立てる角度により変化するが、足踏みペダル１１１を押し下げたときのピンＤ１０７の移動により、ピンＤ１０７がピンＦ２０８の端部を充分に押すことができればよい。
【００３７】
図１１に示す状態から利用者が足踏みペダル１１１を押し下げると、図１２に示すように、図７〜図１０により説明した場合と同様に、ピンＤ１０７が上方に移動してピンＦ２０８の端部を押し上げて、ピンＦ２０８がクランプ１１６の端部を押すことになり、クランプ１１６は、クランプ回転中心７０３を支点として延長管部１１４の中心の方向に回動移動させられて、クランクの突起部１１７が延長管カバー１１５から外れると共に、クランプ１１６の他端部７０４と延長管１１４の壁面に設けたくぼみ部７０５との系合が外れて、延長管部１１４を取り外すことが可能となる。
【００３８】
前述までに説明した本発明の実施形態は、足踏みペダル１１１を押し下げることにより、延長管部１１４を吸口継ぎ手部１１２から取り外すことを可能とするものであったが、本発明は、延長管部１１４をほぼ垂直に立てるだけで延長管部１１４を吸口継ぎ手部１１２から取り外すことを可能とすることができる。次に、これについて説明する。
【００３９】
図１３は延長管部１１４をほぼ垂直に立てるだけで延長管部１１４を吸口継ぎ手部１１２から取り外すことを可能とした例での延長管部１１４が略水平にされた状態を示す概略断面図、図１４は図１３に示す状態から延長管部１１４を立てた状態を示す図である。図１３、図１４は説明に必要な概略を示しているが、詳細は、図７〜図１０に示したものから足踏みペダル１１１と、このペダルとリンクするピンＤ１０７の間の機構とを無くし、ピンＤ１０７の後端部を床用吸口体１０１の上ケース１０３の所定の位置に回動可能に取り付け構成している。
【００４０】
図１３に示すように、ピンＤ１０７の回転中心８０２は、延長管部１１４の回転中心、すなわち、吸口継ぎ手部１１２の回転中心８０１（図７に示す吸口継ぎ手部回転中心７０２と同一位置）に対して、床用吸口体１０１のバンパー１０４の方向に寄った側に設定されている。ピンＤ１０７の回転中心８０２で回動するピンＤ１０７の回転軌跡と、吸口継ぎ手部１１２の回転中心８０１で回動する吸口継ぎ手部１１２のピンＦ２０８の先端部の軌跡とを図１３に示しており、この軌跡から理解できるように、延長管部１１４を図１３に示す状態から垂直になる方向に回動させると、これに伴ってピンＤ１０７も回動し、ピンＤ１０７の先端部は、ケーシング１１０とケーシングカバー１０８との間でピンＦ２０８の先端部に近づくように移動することになる。この結果、延長管部１１４を図１３に示す状態からほぼ垂直な状態まで回動させると、図１４に示すように、ピンＤ１０７の先端部は、ピンＦ２０８を押すことになり、これにより、前述ですでに説明したと同様に、延長管部１１４を吸口継ぎ手部１１２から取り外すことが可能となる。
【００４１】
図１５は延長管部１１４をほぼ垂直に立てるだけで延長管部１１４を吸口継ぎ手部１１２から取り外すことを可能とした他の例での延長管部１１４が略水平にされた状態を示す概略断面図、図１６は図１５に示す状態から延長管部１１４を立てた状態を示す図である。図１５、図１６は説明に必要な概略を示しているが、詳細は、図１３、図１４の場合と同様である。
【００４２】
図１５、図１６に示す例は、ピンＤ１０７を軟質プラスチック等の弾性体により、ある程度曲げることができるように構成し、ピンＤ１０７の後端部の支点８０３を、図１３、図１４に示した例に対して、床用吸口体１０１の内部側に設定し、吸口継ぎ手部１１２の回転中心８０１の周囲にピンＤ１０７の一部が巻きつくような円柱状部材８０４を設けている。
【００４３】
図１５に示すように、延長管部１１４が略水平にされた状態では、ピンＤ１０７が円柱状部材８０４により曲げられた状態とされて、ピンＤ１０７の先端部は、ケーシング１１０とケーシングカバー１０８との間でピンＦ２０８の先端部には接触しない状態となっている。このような図１５に示す状態から延長管部１１４を垂直になる方向に回動させると、ピンＤ１０７は、円柱状部材８０４から外れて、図１６に示すように直線状となり、ピンＤ１０７の先端部は、ケーシング１１０とケーシングカバー１０８との間でピンＦ２０８の先端部に近づくように移動して、ピンＦ２０８を押すことになり、これにより、前述ですでに説明したと同様に、延長管部１１４を吸口継ぎ手部１１２から取り外すことが可能となる。
【００４４】
本発明の実施形態は、延長管部をほぼ垂直にして床用吸口体部から取り外した状態で、床用吸口体部に設けられた吸口継ぎ手部がほぼ垂直の状態で保持されるように構成されている。このようにすることにより、一旦取り外した延長管部を再度吸口継ぎ手部に接続しようとする場合に、上から延長管部を吸口継ぎ手部に差し込むだけで、容易に延長管部を吸口継ぎ手部に接続することが可能となる。
【００４５】
図１７は延長管部を床用吸口体部から取り外した状態で、床用吸口体部に設けられた吸口継ぎ手部をほぼ垂直の状態で保持する機構を説明する図である。
【００４６】
吸口継ぎ手部１１２をほぼ垂直の状態で保持する機構は、図１７に示すように、吸口継ぎ手部１１２を床用吸口体１０１に前後方向に回動可能に取り付けている回転中心を有する機構の周囲にスプリングバネ８０５を設け、このスプリングバネ８０５の一端を床用吸口体１０１側に固定し、他端を吸口継ぎ手部１１２側に固定したものである。そして、このスプリングバネ８０５は、吸口継ぎ手部１１２を床用吸口体部１０１の前側に倒すようなバネ力を持ち、吸口継ぎ手部１１２をほぼ垂直に立てることができるバネ力を有している。また、吸口継ぎ手部１１２がほぼ垂直な位置からそれ以上前側に倒れないように、別の機械的な機構が設けられている。そして、前述のスプリングバネ８０５のバネ力は、延長管部１１４を床用吸口体部１０１の吸口継ぎ手部１１２に接続した状態で、延長管部１１４を手に持って床用吸口体部１０１と共に持ち上げたとき、床用吸口体部１０１の重量により自由に動くことが可能な程度に小さなものに設定される。
【００４７】
図１８は延長管部を床用吸口体部から取り外した状態で、床用吸口体部に設けられた吸口継ぎ手部をほぼ垂直の状態で保持する他の機構を説明する図、図１９は図１８におけるロック機構について説明する図である。
【００４８】
床用吸口体部１０１に設けられた吸口継ぎ手部１１２をほぼ垂直の状態で保持する他のロック機構は、図１８に示すように、吸口継ぎ手部１１２を床用吸口体１０１に前後方向に回動可能に取り付けている回転中心部に爪部９０２を有する略円形のクランク９０１が設けられ、床用吸口体部１０１側にバネ９０５により支持されていて爪部９０３を有するクランクピン９０４が設けられて構成されている。そして、吸口継ぎ手部１１２は、図１８に示すように、クランク９０１の爪部９０２とクランクピン９０４の爪部９０３との面が系合することにより、ほぼ垂直な状態を保持することができるようにされている。
【００４９】
図１８に示す状態で延長管部１１４を取り付けて、延長管部１１４を吸口継ぎ手部１１２と共に、床用吸口体部１０１に対して図１８の右手側に回動させて、掃除機を使用状態とすると、ロック機構の２つの爪部９０２と９０３とが外れて、図１９（ａ）に示すような状態になり、床用吸口体部１０１は、延長管部１１４に対して前後方向に自由に回動することができる。図１９（ｂ）に示すロック機構の状態は、床用吸口体部１０１に対して吸口継ぎ手部１１２をほぼ垂直にして、ロックする寸前の状態を示しており、この図１９（ｂ）に示す状態から吸口継ぎ手部１１２を僅かに図１８の左手の方向に回動させれば、図１８に示すように、ロック機構の２つの爪部９０２と９０３とが系合して、吸口継ぎ手部１１２をほぼ垂直の状態で保持することになる。
【００５０】
図２０は延長管部１１４の先端部にハケブラシ６０２を取り付けた状態を示す断面図である。
【００５１】
アタッチメントとしてのハケブラシ６０２を延長管部１１４の先端部に取り付けることについては、すでに図６により説明したが、図２０にはより詳細にその構成を示している。図２０から判るように、ハケブラシ６０２は、延長管部１１４の先端部に勘合する取り付け管部６０３の円周に沿って取り付けられており、この取り付け管部６０３を延長管部１１４の先端部に取り付ければ、ハケブラシ６０２を付けたままで、延長管部１１４を吸口継ぎ手部１１２に接続することができる。これにより、延長管部１１４を床用吸口体部１０１の吸口継ぎ手部１１２に接続した状態では、ブラシ部が吸口継ぎ手部１１２の周囲を覆うようになるが、そのまま、床用吸口体部１０１を使用した掃除を行うことができ、延長管部１１４を取り外せば直ちに、ハケブラシ６０２を使用した掃除を行うことができる。
【００５２】
図２１は延長管部１１４を床用吸口体部１０１の吸口継ぎ手部１１２に接続する場合のガイド機構について説明する図である。図２１において、９１０は前側ガイド、９１１は後側ガイドである。
【００５３】
床用吸口体部１０１の吸口継ぎ手部１１２から取り外した延長管部１１４を再度吸口継ぎ手部１１２に接続する場合には、単に、吸口継ぎ手部１１２に延長管部１１４を差し込めばよいが、その際に、差し込むためのガイド機構があると、より容易に延長管部１１４を吸口継ぎ手部１１２に接続することができる。図２１（ａ）に示す前側ガイド９１０を設けた例は、吸口継ぎ手部１１２の前側に、半円筒状に形成した透明部材で構成した前側ガイド９１０を取り付けたものである。また、図２１（ｂ）に示す後側ガイド９１１を設けた例は、吸口継ぎ手部１１２の後側に、半円筒状に形成した透明部材で構成した後側ガイド９１１を取り付けたものである。
【００５４】
図２１（ａ）、図２１（ｂ）に示すガイドは、いずれか一方だけを設ければよいが、両方を設けてもよい。そして、各ガイド９１０、９１１を透明部材で構成することにより、吸口継ぎ手部１１２に延長管部１１４を差し込む場合に、吸口継ぎ手部１１２がどのような方向に向いている場合にも、その差し込みの状態を容易に確認することができ、より容易に延長管部１１４を吸口継ぎ手部１１２に接続することができる。
【００５５】
前述した本発明の実施形態は、吸口継ぎ手部１１２に接続した延長管部１１４が床用吸口体部１０１に対して前後方向に回動ものとして詳細に説明したが、本発明の実施形態は、図２により説明したように、吸口継ぎ手部１１２がケーシング１１０に回動可能に接続されて、床用吸口体部１０１が左右方向に回動することが可能である。そして、吸口継ぎ手部１１２から延長管部１１４を取り外した場合に、吸口継ぎ手部１１２が前後方向の所定の角度位置、前述で説明した例では、ほぼ垂直な角度位置に保持できるだけでなく、左右方向の所定の角度位置に保持されることが望ましい。このような場合の保持機構は、図１７〜図１９により説明した場合と同様に構成することができる。
【００５６】
また、本発明の実施形態は、前述した説明からも明らかなように、吸口継ぎ手部１１２に接続した延長管部１１４の床用吸口体部１０１に対する前後方向に回動位置が床用吸口体部１０１の側に、左右方向の回動位置が吸口継ぎ手部１１２の側にあることになる。本発明は、吸口継ぎ手部１１２に接続した延長管部１１４の床用吸口体部１０１に対する前後方向に回動位置が吸口継ぎ手部１１２の側に、左右方向の回動位置が床用吸口体部１０１の側にあるような場合にも適用することができる。
【００５７】
図２２は左右方向の回動位置が床用吸口体部１０１の側にある場合の床用吸口体部と吸口継ぎ手部との部位の構成を説明する外観図、図２３は図２２における床用吸口体部から延長管部軸線方向の断面図である。
【００５８】
図２２に示す例は、下ケース１０２と上ケース１０３とを有する床用吸口体部１０１の後部に、回動Ａとして示すように、床用吸口体部１０１が左右方向に回動可能に吸口継ぎ手部１１２のケーシング１１０に取り付けられて構成され、また、ケーシング１１０に吸口継ぎ手部１１２が前後方向に回転軸を中心に回動可能に取り付けられて構成されている。吸口継ぎ手部１１２の端部には、弾性体により構成されたピンＦ２０８の端部が露出している。吸口継ぎ手部１１２の構成と、これに接続される延長管部１１４の構成は、前述までに説明したものと同一である。なお、床用吸口体部１０１が左右方向に回動可能に吸口継ぎ手部１１２のケーシング１１０に取り付けられる機構については、よく知られているものであるため、ここでの説明は省略する。
【００５９】
前述したように構成される例において、図２３に示すように、床用吸口体部１０１の上ケース１０３のケーシング１１０の側には、上ケース凸部９２０が設けられており、吸口継ぎ手部１１０は、回転軸Ｂを中心として前後方向に回動可能である。また、床用吸口体部１０１を回転中心軸Ａを中心に左右方向に回動可能とする機構の一部を持つ下ケース１０２には、ピンＣバネ９２１とピンＣ９２２とが設けられており、床用吸口体部１０１が回転していない状態で、ケーシング１１０に設けた凹部にピンＣが系合して、回動動作に対する抑止を行う。
【００６０】
前述したような状態から、図示しない延長管部１１４が接続された吸口継ぎ手部１１２が略垂直な状態に回動させられると、前述した床用吸口体部１０１の上ケース１０３のケーシング１１０に設けられた上ケース凸部９２０が、吸口継ぎ手部１１２の端部に設けられたピンＦ２０８の先端を押すことになる。この結果、前述ですでに接続したと同様に、ピンＦ２０８の作用により、吸口継ぎ手部１１２と延長管部１１４とを接続していたロックが外れて、延長管部１１４を吸口継ぎ手部１１２から取り外すことが可能となる。なお、吸口継ぎ手部１１２から延長管部１１４を取り外した後の吸口継ぎ手部１１２の所定の角度位置での保持については、図１７、図１８により接続した場合と同様な構成で行うことができる。
【符号の説明】
【００６１】
１０１  床用吸口体部
１０２  下ケース
１０３  上ケース
１０４  バンパー
１０５  タイヤ
１０６  リンク
１０７  ピンＤ
１０８  ケーシングカバー
１０９  ローラ
１１０  ケーシング
１１１  足踏みペダル
１１２  吸口継ぎ手部
１１３  継ぎ手カバー
１１４  延長管部
１１５  延長管カバー
１１６  クランプ
１１７  クランプの突起部
２０１  タイヤシャフト
２０２  リンクシャフト
２０３  足踏みペダルシャフト
２０４  足踏みペダルバネ
２０５  流路カバー
２０６  回動カバー
２０７  ピンＤシャフト
２０８  ピンＦ
２０９  ピンＦバネ
２１０  クランプバネ
３０１  掃除機本体
３０２  ホース部
３０３  グリップ部
３０４  手元スイッチ
６０１  隙間用吸口
６０２  ハケブラシ
９１０  後側ガイド
９１１  前側ガイド
【図１】
0004734434.tif 000002
【図２】
0004734434.tif 000003
【図３】
0004734434.tif 000004
【図４】
0004734434.tif 000005
【図５】
0004734434.tif 000006
【図６】
0004734434.tif 000007
【図７】
0004734434.tif 000008
【図８】
0004734434.tif 000009
【図９】
0004734434.tif 000010
【図１０】
0004734434.tif 000011
【図１１】
0004734434.tif 000012
【図１２】
0004734434.tif 000013
【図１３】
0004734434.tif 000014
【図１４】
0004734434.tif 000015
【図１５】
0004734434.tif 000016
【図１６】
0004734434.tif 000017
【図１７】
0004734434.tif 000018
【図１８】
0004734434.tif 000019
【図１９】
0004734434.tif 000020
【図２０】
0004734434.tif 000021
【図２１】
0004734434.tif 000022
【図２２】
0004734434.tif 000023
【図２３】
0004734434.tif 000024